(57)【要約】【課題】無線機が１つしかなくてもパケット通信中に自局宛ての音声着信を認識することができる移動局装置および無線通信方法を提供する。【解決手段】デュアル端末１６は、１つの無線機２２を用いて、１のタイミングでパケット通信に対応したＸＧＰ基地局および音声通信に対応したＰＨＳ基地局のいずれか一方と無線通信を行う。デュアル端末１６は、ＸＧＰ基地局とのパケット通信に割り当てられたタイムスロットを間欠的に解放するスロット解放部４２と、スロット解放部４２により解放されたタイムスロットで、ＰＨＳ基地局から所定周期（２０フレーム周期）で送信される制御チャネルの受信を無線機２２に試みさせるＣＣＨサーチ部３２と、を含む。【選択図】図４
2010226614.tif 000002
【特許請求の範囲】
【請求項１】
１つの無線機を用いて、１のタイミングでパケット通信に対応した第１の基地局装置および音声通信に対応した第２の基地局装置のいずれか一方と無線通信を行う移動局装置であって、
前記第１の基地局装置とのパケット通信に割り当てられたタイムスロットを間欠的に解放するスロット解放手段と、
前記スロット解放手段により解放されたタイムスロットで、前記第２の基地局装置から所定周期で送信される制御チャネルの受信を試みる制御チャネル受信手段と、
を含むことを特徴とする移動局装置。
【請求項２】
請求項１に記載の移動局装置において、
前記スロット解放手段は、少なくとも前記制御チャネル受信手段により受信レベルが所定閾値以上の制御チャネルが受信されるまで、前記第１の基地局装置とのパケット通信に割り当てられたタイムスロットの間欠的な解放を継続する、
ことを特徴とする移動局装置。
【請求項３】
請求項１または２に記載の移動局装置において、
前記スロット解放手段は、前記制御チャネル受信手段により受信レベルが所定閾値以上の制御チャネルが受信された場合に、前記第１の基地局装置とのパケット通信に割り当てられたタイムスロットのうち該制御チャネルが受信されたタイムスロットだけを前記所定周期で解放する、
ことを特徴とする移動局装置。
【請求項４】
請求項１から３のいずれかに記載の移動局装置において、
前記制御チャネル受信手段により受信レベルが所定閾値以上の制御チャネルが受信された場合に、前記第１の基地局装置とのパケット通信を用いて前記第２の基地局装置との音声通信に係る当該移動局装置の位置登録を行う位置登録手段をさらに含む、
ことを特徴とする移動局装置。
【請求項５】
請求項１から４のいずれかに記載の移動局装置において、
前記制御チャネル受信手段により、受信レベルが所定閾値以上の制御チャネルが受信された場合であって、前記第２の基地局装置から着呼情報を含む制御チャネルが受信された場合には、前記第１の基地局装置とのパケット通信に割り当てられたタイムスロットをすべて解放し、該解放されたタイムスロットのいずれかで前記第２の基地局装置との音声通信を行う、
ことを特徴とする移動局装置。
【請求項６】
請求項１から５のいずれかに記載の移動局装置において、
前記スロット解放手段は、前記第１の基地局装置とのパケット通信に割り当てられたタイムスロットを解放するために、該タイムスロットの所定時間前に前記第１の基地局装置に対して該タイムスロットの解放を要求する、
ことを特徴とする移動局装置。
【請求項７】
１つの無線機を用いて、１のタイミングでパケット通信に対応した第１の基地局装置および音声通信に対応した第２の基地局装置のいずれか一方と無線通信を行う移動局装置の無線通信方法であって、
前記第１の基地局装置とのパケット通信に割り当てられたタイムスロットを間欠的に解放するスロット解放ステップと、
前記スロット解放ステップにおいて解放されたタイムスロットで、前記第２の基地局装置から所定周期で送信される制御チャネルの受信を試みるステップと、
を含むことを特徴とする無線通信方法。
【発明の詳細な説明】
【技術分野】
【０００１】
本発明は、移動局装置および無線通信方法に関し、特に、パケット通信および音声通信の双方に対応した移動局装置および無線通信方法に関する。
【背景技術】
【０００２】
近年、パケット通信および音声通信の双方に対応した移動局が提供されている。
【０００３】
また現在、ＴＤＭＡ／ＴＤＤ（Time Division Multiple Access/Time Division Duplex：時分割多元接続／時分割複信）方式を採用するＰＨＳ（Personal Handy-phone System、非特許文献１参照）と、ＯＦＤＭＡ（Orthogonal Frequency Division Multiple Access：直交周波数分割多元接続）方式およびＴＤＭＡ／ＴＤＤ方式を採用するＸＧＰ（eXtended Global Platform、非特許文献２参照）と、の双方に対応した移動局の導入が検討されている。この移動局では、パケット通信にＸＧＰを利用し、音声通信にＰＨＳを利用することが想定されている。
【先行技術文献】
【非特許文献】
【０００４】
【非特許文献１】“RCR STD-28「第二世代コードレス電話システム」5.3版”、2008年９月２５日、社団法人電波産業会
【非特許文献２】“ARIB STD-T95「OFDMA/TDMA TDD BroadbandWireless Access System ARIB STANDARD」1.0版”、平成１９年１２月１２日、社団法人電波産業会
【発明の概要】
【発明が解決しようとする課題】
【０００５】
ただし、１つの無線機でパケット通信および音声通信の双方に対応する移動局では、パケット通信中に自局宛ての音声着信を認識できないことがある。
【０００６】
たとえば、ＰＨＳ端末（ＰＨＳ対応の移動局）は、ＰＨＳ基地局（ＰＨＳ対応の基地局）から所定の周期で送信される制御チャネル（Control Channel：ＣＣＨ）を受信するために、制御チャネルの送信タイミングを予め特定しておかなければならない。特に、ＰＨＳでは、制御チャネルが連続する２０のフレームに含まれる８０の下りタイムスロット（４つの下りタイムスロット×２０フレーム）のいずれかで送信されるよう規定されている。このため、ＰＨＳ端末は、その周辺に位置するＰＨＳ基地局から送信される制御チャネルの送信タイミングを特定するために、８０の下りタイムスロットをサーチしなければならない。
【０００７】
ところが、１つの無線機でＸＧＰおよびＰＨＳの双方に対応する移動局は、１のタイミングでＸＧＰ基地局（ＸＧＰ対応の基地局）とのパケット通信およびＰＨＳ基地局との音声通信のいずれか一方しか行えないため、パケット通信中に、ＰＨＳの制御チャネルをサーチすることができない。このため、パケット通信中にＰＨＳの一斉呼出エリアをまたぐと、この移動局は、移動先の一斉呼出エリアにおいて位置登録をすることができず、結果として自局宛ての着呼情報を受信することもできなくなる。すなわち、かかる移動局では、たとえばスマートフォンのようにインターネット接続中に音声着信を割り込ませることができない場合がある。
【０００８】
本発明は、無線機が１つしかなくてもパケット通信中に自局宛ての音声着信を認識することができる移動局装置および無線通信方法を提供することを目的とする。
【課題を解決するための手段】
【０００９】
上記課題を解決するために、本発明に係る移動局装置は、１つの無線機を用いて、１のタイミングでパケット通信に対応した第１の基地局装置および音声通信に対応した第２の基地局装置のいずれか一方と無線通信を行う移動局装置であって、前記第１の基地局装置とのパケット通信に割り当てられたタイムスロットを間欠的に解放するスロット解放手段と、前記スロット解放手段により解放されたタイムスロットで、前記第２の基地局装置から所定周期で送信される制御チャネルの受信を試みる制御チャネル受信手段と、を含むことを特徴とする。
【００１０】
本発明によれば、移動局装置は、第１の基地局装置とのパケット通信に割り当てられたタイムスロットを間欠的に解放しながら、解放されたタイムスロットで音声通信に対応した第２の基地局装置から送信される制御チャネルの受信を試みる。このため、移動局装置は、無線機が１つしかなくてもパケット通信中に自局宛ての音声着信を認識することができる。
【００１１】
また、本発明の一態様では、前記スロット解放手段は、少なくとも前記制御チャネル受信手段により受信レベルが所定閾値以上の制御チャネルが受信されるまで、前記第１の基地局装置とのパケット通信に割り当てられたタイムスロットの間欠的な解放を継続する。
【００１２】
また、本発明の一態様では、前記スロット解放手段は、前記制御チャネル受信手段により受信レベルが所定閾値以上の制御チャネルが受信された場合に、前記第１の基地局装置とのパケット通信に割り当てられたタイムスロットのうち該制御チャネルが受信されたタイムスロットだけを前記所定周期で解放する。
【００１３】
この態様によれば、パケット通信に割り当てられたタイムスロットが解放時間が短縮され、パケット通信のスループット低下を抑制することができる。
【００１４】
また、本発明の一態様では、前記移動局装置は、前記制御チャネル受信手段により受信レベルが所定閾値以上の制御チャネルが受信された場合に、前記第１の基地局装置とのパケット通信を用いて前記第２の基地局装置との音声通信に係る当該移動局装置の位置登録を行う位置登録手段をさらに含む。
【００１５】
この態様によれば、移動局装置が無線接続している第１の基地局装置を介して音声通信に係る位置登録が行われるため、移動局装置の位置登録に要する時間を短縮することができる。
【００１６】
また、本発明の一態様では、前記制御チャネル受信手段により、受信レベルが所定閾値以上の制御チャネルが受信された場合であって、前記第２の基地局装置から着呼情報を含む制御チャネルが受信された場合には、前記移動局装置は、前記第１の基地局装置とのパケット通信に割り当てられたタイムスロットをすべて解放し、該解放されたタイムスロットのいずれかで前記第２の基地局装置との音声通信を行う。
【００１７】
なお、前記スロット解放手段は、前記第１の基地局装置とのパケット通信に割り当てられたタイムスロットを解放するために、該タイムスロットの所定時間前に前記第１の基地局装置に対して該タイムスロットの解放を要求してもよい。
【００１８】
また、本発明に係る無線通信方法は、１つの無線機を用いて、１のタイミングでパケット通信に対応した第１の基地局装置および音声通信に対応した第２の基地局装置のいずれか一方と無線通信を行う移動局装置の無線通信方法であって、前記第１の基地局装置とのパケット通信に割り当てられたタイムスロットを間欠的に解放するスロット解放ステップと、前記スロット解放ステップにおいて解放されたタイムスロットで、前記第２の基地局装置から所定周期で送信される制御チャネルの受信を試みるステップと、を含むことを特徴とする。
【図面の簡単な説明】
【００１９】
【図１】本発明の実施形態に係る移動通信システムの構成を示す図である。
【図２】ＰＨＳのチャネル構成およびＸＧＰのチャネル構成を示す図である。
【図３】制御チャネルの送信周期（２０フレーム、１００ｍｓ）を示す図である。
【図４】本発明の実施形態に係るデュアル端末の機能ブロック図である。
【図５Ａ】ＣＣＨサーチタイミングの一例を示す図である。
【図５Ｂ】ＣＣＨサーチタイミングの一例を示す図である。
【図６Ａ】デュアル端末とＸＧＰ基地局とのパケット通信中に行われる制御チャネルサーチ処理の一例を示すシーケンス図である。
【図６Ｂ】デュアル端末とＸＧＰ基地局とのパケット通信中に行われる制御チャネルサーチ処理の一例を示すシーケンス図である。
【図７Ａ】スロット割り当ての一例を示す図である。
【図７Ｂ】スロット割り当ての一例を示す図である。
【発明を実施するための形態】
【００２０】
以下、本発明の一実施形態を図面に基づいて詳細に説明する。
【００２１】
図１は、本発明の実施形態に係る移動通信システム１０の構成を示す図である。同図に示すように、移動通信システム１０は、ＯＦＤＭＡ方式およびＴＤＭＡ／ＴＤＤ方式を採用するＸＧＰに対応したＸＧＰ基地局１２と、ＴＤＭＡ／ＴＤＤ方式を採用するＰＨＳに対応したＰＨＳ基地局１４と、ＸＧＰおよびＰＨＳの双方に対応したデュアル端末１６（移動局）と、ＸＧＰ基地局１２およびＰＨＳ基地局１４が接続されたネットワーク１８と、を含んで構成される。
【００２２】
デュアル端末１６は、１つの無線機を用いて、１のタイミングでＸＧＰ基地局１２およびＰＨＳ基地局１４のいずれか一方と無線通信を行う。本実施形態では、デュアル端末１６が、パケット通信にＸＧＰを利用し、音声通信にＰＨＳを利用するものとする。
【００２３】
図２は、ＰＨＳのチャネル構成およびＸＧＰのチャネル構成を示す図である。同図に示すように、ＰＨＳおよびＸＧＰでは、ＴＤＭＡフレーム（５ｍｓ）が上り（アップリンク）サブフレーム（２．５ｍｓ）と下り（ダウンリンク）サブフレーム（２．５ｍｓ）とに区分され、さらに各サブフレームがそれぞれ４つのタイムスロット（スロット＃１〜スロット＃４）に均等に区分されている。ＰＨＳのフレームとＸＧＰのフレームは相互に同期している。
【００２４】
また、図２に示すように、ＰＨＳでは、タイムスロットごとに１．９ＧＨｚ帯の無線チャネルを１つだけ使用することができる。一方、ＸＧＰでは、２．５ＧＨｚ帯に複数（たとえば１８）のＯＦＤＭＡサブチャネルが規定されており、タイムスロットごとに１以上のサブチャネルを使用することができる。なお、ＸＧＰで割り当てられる無線チャネルの最小単位はＰＲＵ（Physical Resource Unit）と呼ばれ、８つのタイムスロットのいずれかと複数のサブチャネルのいずれかとに属している。
【００２５】
移動通信システム１０では、ＰＨＳ基地局１４が２０フレーム（１００ｍｓ）に１度、具体的には連続する２０のフレームに含まれる８０の下りタイムスロットのいずれかで制御チャネル（ＣＣＨ）を送信するよう規定されている（図３参照）。このため、デュアル端末１６やＰＨＳ端末は、その周辺に位置するＰＨＳ基地局１４から送信される制御チャネルの送信タイミングを特定するために、８０の下りタイムスロットをサーチしなければならない。
【００２６】
上記のとおり、本実施形態に係るデュアル端末１６は、無線機を１つしか備えていないため、１のタイミングでパケット通信に対応したＸＧＰ基地局１２および音声通信に対応したＰＨＳ基地局１４のいずれか一方としか無線通信を行えない。しかし、デュアル端末１６は、ＸＧＰ基地局１２とのパケット通信に割り当てられたタイムスロットを間欠的に解放しながら、解放されたタイムスロットで音声通信に対応したＰＨＳ基地局１４から送信される制御チャネルの受信を試みるため、パケット通信中でも自局宛ての音声着信を認識できるようになっている。
【００２７】
以下では、上記処理を実現するためにデュアル端末１６が備える構成について説明する。
【００２８】
図４は、デュアル端末１６の機能ブロック図である。同図に示すように、デュアル端末１６は、アンテナ２０、無線機２２、ＰＨＳ制御部３０（ＣＣＨサーチ部３２、ＣＣＨサーチスケジュール制御部３４、ＣＣＨ情報管理部３６）、およびＸＧＰ制御部４０（スロット解放部４２、ＰＨＳ位置登録部４４）を含んで構成される。
【００２９】
アンテナ２０は、無線信号を受信し、受信された無線信号を無線機２２に出力する。また、アンテナ２０は、無線機２２から供給される無線信号をＸＧＰ基地局１２またはＰＨＳ基地局１４に対して送信する。
【００３０】
無線機２２は、低雑音増幅器、電力増幅器、周波数変換器、帯域通過フィルタ、Ａ／Ｄ変換器、Ｄ／Ａ変換器、復調器、および変調器を含んで構成される。無線機２２は、アンテナ２０から入力される無線信号に対してＰＨＳまたはＸＧＰの無線周波数帯、変調方式、およびプロトコルに応じた信号処理を施し、得られた受信データをＰＨＳ制御部３０またはＸＧＰ制御部４０に出力する。また、無線機２２は、ＰＨＳ制御部３０またはＸＧＰ制御部４０から入力される送信データに対してＰＨＳまたはＸＧＰのプロトコル、変調方式、および無線周波数帯に応じた信号処理を施し、得られた無線信号を送信出力レベルまで増幅してからアンテナ２０に供給する。
【００３１】
なお、無線機２２から出力される受信データの出力先および無線機２２に入力される送信データの入力元は、そのデータが送受されるタイムスロットがＸＧＰ基地局１２およびＰＨＳ基地局１４のいずれに割り当てられているかに応じて切り替えられる。すなわち、無線機２２は、各タイムスロットでＸＧＰ基地局１２およびＰＨＳ基地局１４のいずれか一方とだけ無線通信を行うことができる。
【００３２】
ＰＨＳ制御部３０は、たとえばＤＳＰ（Digital Signal Processor）およびＤＳＰの動作を制御するプログラムで構成され、無線機２２から入力される受信データに基づいてＰＨＳプロトコルに係る各種制御を行ったり、ＰＨＳ基地局１４宛ての送信データを生成して無線機２２に出力したりする。また、ＰＨＳ制御部３０は、ＣＣＨサーチ部３２、ＣＣＨサーチスケジュール制御部３４、およびＣＣＨ情報管理部３６を機能的に含み、デュアル端末１６の周辺に位置するＰＨＳ基地局１４が制御チャネルを送信するタイミングを特定し管理する。
【００３３】
ＣＣＨサーチ部３２は、デュアル端末１６の周辺に位置するＰＨＳ基地局１４から送信される制御チャネルのサーチに係る処理を行う。すなわち、ＣＣＨサーチ部３２は、後述するＣＣＨサーチスケジュール制御部３４から通知されるＣＣＨサーチタイミングで制御チャネルの受信を試みるよう無線機２２に指示する。また、ＣＣＨサーチ部３２は、受信された制御チャネルに含まれる制御データや制御チャネルの受信レベルを無線機２２から取得し、それらをＣＣＨサーチ結果としてＣＣＨ情報管理部３６に出力する。
【００３４】
ＣＣＨサーチスケジュール制御部３４は、無線機２２に制御チャネルの受信を試みさせる下りタイムスロット（ＣＣＨサーチタイミング）を決定する。特に、デュアル端末１６がＸＧＰ基地局１２とパケット通信をしている場合、ＣＣＨサーチスケジュール制御部３４は、制御チャネルの送信周期（２０フレーム）に含まれる８０の下りタイムスロットそれぞれのサーチタイミングが分散するようにＣＣＨサーチタイミングを決定し、決定されたＣＣＨサーチタイミングをＣＣＨサーチ部３２および後述するＸＧＰ制御部４０（スロット解放部４２）に通知する。これにより、無線機２２は、ＸＧＰ基地局１２とのパケット通信に割り当てられたタイムスロットのうちスロット解放部４２により間欠的に解放される下りタイムスロットで、ＰＨＳ基地局１４から２０フレーム周期で送信される制御チャネルの受信を試みることができるようになる。
【００３５】
図５Ａおよび図５Ｂは、ＣＣＨサーチスケジュール制御部３４によって決定されるＣＣＨサーチタイミングの一例を示す図である。同図に示す例では、同じタイムスロットが２フレーム以上連続して制御チャネルサーチの対象にならないよう、８０の下りタイムスロットそれぞれのサーチタイミングが２０フレームの４倍に当たる８０フレームにほぼ均等に分散されている。たとえば、１回目のサーチ（最初の２０フレーム）におけるスロット＃１のサーチタイミングは、フレーム＃１，＃５，＃９，＃１３，＃１７（フレームグループ＃１）であり、４フレーム間隔に設定されている。また、２回目のサーチ（次の２０フレーム）おけるスロット＃１のサーチタイミングは、フレーム＃２，＃６，＃１０，＃１４，＃１８（フレームグループ＃２）であり、同じく４フレーム間隔に設定されている。これは、後述するスロット解放部４２によって、ＸＧＰ基地局１２とのパケット通信に割り当てられたタイムスロットが複数フレーム（ここでは２フレーム）連続して解放されることを防ぐためである。
【００３６】
なお、ＣＣＨサーチスケジュール制御部３４は、上記方法とは異なる方法でＣＣＨサーチタイミングを決定してもよい。たとえば、ＣＣＨサーチスケジュール制御部３４は、乱数などを用いてＣＣＨサーチタイミングを決定してもよい。
【００３７】
ＣＣＨ情報管理部３６は、ＣＣＨサーチ部３２から入力されるサーチ結果に基づいて、デュアル端末１６の周辺に位置する１以上のＰＨＳ基地局１４の中から、制御チャネルの受信対象となる対象基地局を決定する。具体的には、ＣＣＨ情報管理部３６は、受信レベルが所定閾値以上の制御チャネルが受信された場合に、その制御チャネルを送信したＰＨＳ基地局１４を対象基地局にする。ここで、受信レベルが所定閾値以上の制御チャネルが受信されない場合、ＣＣＨ情報管理部３６は、受信された制御チャネルのうち受信レベルが最大の制御チャネルを送信したＰＨＳ基地局１４を仮対象基地局としてもよい。
【００３８】
なお、ＸＧＰ基地局１２とのパケット通信中に対象基地局が入れ替わり、デュアル端末１６が一斉呼出エリアをまたいだ場合、ＣＣＨ情報管理部３６は、ＸＧＰ基地局１２とのパケット通信を用いてＰＨＳに係るデュアル端末１６の位置登録を行うようＸＧＰ制御部４０に指示する。これにより、ＸＧＰ基地局１２との無線接続を切断したりＰＨＳ基地局１４と新たに無線接続を確立したりすることなく、短時間でデュアル端末１６の位置登録を行えるようになる。
【００３９】
また、対象基地局が決定された場合、ＣＣＨ情報管理部３６は、その対象基地局から送信される制御チャネルの受信レベルが所定閾値未満になるまで、対象基地局から制御チャネルが送信される下りタイムスロットだけをＣＣＨサーチタイミングとするようＣＣＨサーチスケジュール制御部３４に指示してもよい。
【００４０】
ＸＧＰ制御部４０は、たとえばＤＳＰおよびＤＳＰの動作を制御するプログラムで構成され、無線機２２から入力される受信データに基づいてＸＧＰプロトコルに係る各種制御を行ったり、ＸＧＰ基地局１２宛ての送信データを生成して無線機２２に出力したりする。また、ＸＧＰ制御部４０は、スロット解放部４２およびＰＨＳ位置登録部４４を機能的に含み、ＰＨＳ制御部３０（ＣＣＨサーチスケジュール制御部３４）から通知されるＣＣＨサーチタイミング、ＰＨＳ制御部３０（ＣＣＨサーチ部３２）で取得されるＣＣＨサーチ結果、ＰＨＳ制御部３０（ＣＣＨ情報管理部３６）からの指示などに基づいてＸＧＰ基地局１２とのパケット通信を制御する。
【００４１】
スロット解放部４２は、ＸＧＰ基地局１２とのパケット通信中に、そのパケット通信に割り当てられたタイムスロットを間欠的に解放する。具体的には、スロット解放部４２は、ＣＣＨサーチスケジュール制御部３４から通知されるＣＣＨサーチタイミングでＸＧＰ基地局１２とのパケット通信に割り当てられたタイムスロットが解放されるよう、そのＣＣＨサーチタイミングの所定時間前（たとえば１フレーム前（５ｍｓ前））にＸＧＰ基地局１２に対してタイムスロットの解放を要求する。
【００４２】
なお、ＣＣＨ情報管理部３６によって対象基地局が決定された場合（受信レベルが所定閾値以上の制御チャネルが受信された場合）、スロット解放部４２は、ＸＧＰ基地局１２とのパケット通信に割り当てられたタイムスロットのうちその対象基地局から制御チャネルが送信されるタイムスロットだけを２０フレーム周期で解放してもよい。こうすれば、パケット通信に割り当てられたタイムスロットの解放時間（使用不可時間）が短縮され、パケット通信のスループット低下を抑制することができる。
【００４３】
ただし、少なくともＣＣＨ情報管理部３６によって対象基地局が決定されるまで（少なくとも受信レベルが所定閾値以上の制御チャネルが受信されるまで）、スロット解放部４２は、ＸＧＰ基地局１２とのパケット通信に割り当てられたタイムスロットの間欠的な解放を継続することが望ましい。
【００４４】
ＰＨＳ位置登録部４４は、ＸＧＰ基地局１２とのパケット通信中に対象基地局が入れ替わり、デュアル端末１６が一斉呼出エリアをまたいだ場合に、ＣＣＨ情報管理部３６からの指示に基づき、ＸＧＰ基地局１２とのパケット通信を用いてＰＨＳに係るデュアル端末１６の位置登録を行う。
【００４５】
ここで、デュアル端末１６の動作について説明する。
【００４６】
図６Ａおよび図６Ｂは、デュアル端末１６とＸＧＰ基地局１２とのパケット通信中に行われる制御チャネルサーチ処理の一例を示すシーケンス図である。ここでは、デュアル端末１６がフレーム＃１，＃５，＃９，＃１３，＃１７(フレームグループ＃１）のスロット＃１で制御チャネルをサーチする場合を説明する。また、デュアル端末１６とＸＧＰ基地局１２とのパケット通信には、スロット＃１，＃２，＃３に属する計１８のＰＲＵが割り当てられているものとする（図７Ａの太線枠内参照）。
【００４７】
まず、デュアル端末１６のＰＨＳ制御部３０は、スロット＃２０のタイミングで（フレーム＃１の１フレーム前に）、ＣＣＨサーチタイミング「フレーム＃１のスロット＃１」をデュアル端末１６のＸＧＰ制御部４０に通知する（Ｓ１００）。次に、ＸＧＰ制御部４０は、ＣＣＨサーチタイミングとして通知された「スロット＃１」の解放をＸＧＰ基地局１２に要求する（Ｓ１０２）。
【００４８】
デュアル端末１６から「スロット＃１」の解放要求を受けたＸＧＰ基地局１２は、デュアル端末１６とのパケット通信に割り当てられていた「スロット＃１」の６つのＰＲＵを解放するとともに、「スロット＃４」に属する空きＰＲＵ（ここでは６つ）をデュアル端末１６とのパケット通信に新たに割り当てる（図７Ａ参照）。そして、ＸＧＰ基地局１２は、変更されたＰＲＵの割り当てをデュアル端末１６に通知する（Ｓ１０４）。これにより、フレーム＃１では、スロット＃１をデュアル端末１６とＸＧＰ基地局１２とのパケット通信に使用できなくなる。
【００４９】
デュアル端末１６は、Ｓ１０４の通知によりスロット＃１の解放を確認すると、その解放されたフレーム＃１のスロット＃１でＰＨＳ基地局１４の制御チャネルをサーチする（Ｓ１０６、図７Ｂ参照）。その後、デュアル端末１６は、Ｓ１０２の要求で解放された「スロット＃１」の割り当てをＸＧＰ基地局１２に要求し（Ｓ１０８）、ＸＧＰ基地局１２から変更されたＰＲＵの割り当て通知を受ける（Ｓ１１０）。
【００５０】
Ｓ１０６でＰＨＳ基地局１４の制御チャネルが受信されない場合、ＰＨＳ制御部３０は、スロット＃４のタイミングで（フレーム＃５の１フレーム前に）、次のＣＣＨサーチタイミング「フレーム＃５のスロット＃１」をＸＧＰ制御部４０に通知する（Ｓ１１２）。そして、ＸＧＰ制御部４０は、ＣＣＨサーチタイミングとして通知された「スロット＃１」の解放をＸＧＰ基地局１２に再度要求する（Ｓ１１４）。
【００５１】
デュアル端末１６から「スロット＃１」の解放要求を受けたＸＧＰ基地局１２は、上記と同様、デュアル端末１６とのパケット通信に割り当てられていた「スロット＃１」の解放などを行い、変更されたＰＲＵの割り当てをデュアル端末１６に通知する（Ｓ１１６）。これにより、フレーム＃５では、スロット＃１をデュアル端末１６とＸＧＰ基地局１２とのパケット通信に使用できなくなる。
【００５２】
デュアル端末１６は、Ｓ１１６の通知によりスロット＃１の解放を確認すると、その解放されたフレーム＃５のスロット＃１でＰＨＳ基地局１４の制御チャネルをサーチする（Ｓ１１８）。その後、デュアル端末１６は、Ｓ１１４の要求で解放された「スロット＃１」の割り当てをＸＧＰ基地局１２に要求し（Ｓ１２０）、ＸＧＰ基地局１２から変更されたＰＲＵの割り当て通知を受ける（Ｓ１２２）。
【００５３】
以降、ＰＨＳ基地局１４の制御チャネルが受信されるまで、フレーム＃９，＃１３，＃１７のスロット＃１について上記と同様の処理を行う。
【００５４】
制御チャネルのサーチによって受信レベルが所定閾値以上の制御チャネルが受信されると、デュアル端末１６は、その制御チャネルを送信したＰＨＳ基地局１４を対象基地局として決定する。そして、デュアル端末１６は、その対象基地局から送信される制御チャネルの受信レベルが所定閾値未満になるまで、対象基地局から送信される制御チャネルだけを監視する。ここで、自局宛ての着呼情報を含む制御チャネルが対象基地局から受信されると、デュアル端末１６は、ＸＧＰ基地局１２とのパケット通信に割り当てられたタイムスロットをすべて解放した後（ＸＧＰ基地局１２との無線接続を切断した後）、解放されたタイムスロットのいずれかで対象基地局との無線接続を確立し音声通信を行う。
【００５５】
以上説明した実施形態によれば、デュアル端末１６が、ＸＧＰ基地局１２とのパケット通信に割り当てられたタイムスロットを間欠的に解放しながら、解放されたタイムスロットで音声通信に対応したＰＨＳ基地局１４から送信される制御チャネルの受信を試みる。このため、デュアル端末１６は、無線機２２が１つしかなくてもパケット通信中に自局宛ての音声着信を認識することができる。
【００５６】
なお、本発明は、上記実施形態に限定されるものではない。すなわち、本発明は、ＰＨＳおよびＸＧＰの双方に対応した移動局に限らず、１つの無線機を用いて、１のタイミングでパケット通信に対応した第１の基地局および音声通信に対応した第２の基地局のいずれか一方と無線通信を行う移動局に広く適用可能である。
【符号の説明】
【００５７】
１０  移動通信システム、１２  ＸＧＰ基地局、１４  ＰＨＳ基地局、１６  デュアル端末、１８  ネットワーク、２０  アンテナ、２２  無線機、３０  ＰＨＳ制御部、３２  ＣＣＨサーチ部、３４  ＣＣＨサーチスケジュール制御部、３６  ＣＣＨ情報管理部、４０  ＸＧＰ制御部、４２  スロット解放部、４４  ＰＨＳ位置登録部。
【図１】
2010226614.tif 000003
【図２】
2010226614.tif 000004
【図３】
2010226614.tif 000005
【図４】
2010226614.tif 000006
【図５Ａ】
2010226614.tif 000007
【図５Ｂ】
2010226614.tif 000008
【図６Ａ】
2010226614.tif 000009
【図６Ｂ】
2010226614.tif 000010
【図７Ａ】
2010226614.tif 000011
【図７Ｂ】
2010226614.tif 000012